(57)【要約】【課題】廃棄物を破砕機によって所定の大きさに破砕するに際して、破砕機の損傷を防止するとともに稼働率の低下を回避しながら、有用物を無駄に除去することなく、適切に廃棄物を破砕することができる廃棄物の破砕方法及び設備を提供する。【解決手段】供給された廃棄物に対して、感度を鈍く設定した弱磁力選別機３によって、破砕機５での破砕が容易な軽量磁性物を選別分離し、その破砕容易磁性物を破砕機５に供給するとともに、破砕容易磁性物が選別分離された後の廃棄物に対して、感度を高く設定した強磁力選別機４によって、破砕機５での破砕が困難な重量磁性物を除去し、破砕困難重量磁性物が除去された廃棄物を破砕機５に供給する。【選択図】図１
2006075793.tif 000002
【特許請求の範囲】
【請求項１】
廃棄物から軽量磁性物を分離する弱磁力選別工程と、
前記弱磁力選別工程で軽量磁性物が分離された廃棄物から重量磁性物を分離する強磁力選別工程と、
前記弱磁力選別工程で分離された軽量磁性物と前記強磁力選別工程で重量磁性物が除去された廃棄物とを破砕する破砕工程と
を有することを特徴とする廃棄物の破砕方法。
【請求項２】
廃棄物から磁性物を分離する強磁力選別工程と、
前記強磁力選別工程で分離された磁性物から軽量磁性物を分離する弱磁力選別工程と、
前記強磁力選別工程で磁性物が分離された廃棄物と前記弱磁力選別工程で分離された軽量磁性物とを破砕する破砕工程と
を有することを特徴とする廃棄物の破砕方法。
【請求項３】
廃棄物から軽量磁性物を分離する弱磁力選別手段と、
前記弱磁力選別手段によって軽量磁性物が分離された廃棄物から重量磁性物を分離する強磁力選別手段と、
前記弱磁力選別手段によって分離された軽量磁性物と前記強磁力選別手段によって重量磁性物が分離された廃棄物とを破砕する破砕手段と
を有することを特徴とする廃棄物の破砕設備。
【請求項４】
廃棄物から磁性物を分離する強磁力選別手段と、
前記強磁力選別手段によって分離された磁性物から軽量磁性物を分離する弱磁力選別手段と、
前記強磁力選別手段によって磁性物が分離された廃棄物と前記弱磁力選別手段によって分離された軽量磁性物とを破砕する破砕手段と
を有することを特徴とする廃棄物の破砕設備。
【発明の詳細な説明】
【技術分野】
【０００１】
本発明は、廃棄物を所定の大きさに破砕するための破砕方法及び設備に関するものである。
【背景技術】
【０００２】
廃棄物をリサイクルする場合、例えば、一般家庭から出る、紙、プラスチック、布、木屑、厨芥、金属等を含む廃棄物（一般廃棄物）からごみ固形燃料（ＲＤＦ）を製造する場合は、予め廃棄物を破砕機によって所定の大きさに細かく破砕することが行われる（例えば、特許文献１参照。）。
【特許文献１】特開平１０−４６１６５号公報
【発明の開示】
【発明が解決しようとする課題】
【０００３】
廃棄物を刃幅が細い刃（例えば、刃幅２５ｍｍ程度）の破砕機によって所定の大きさに細かく破砕する際に、廃棄物中に破砕機によって破砕することが困難な重量のある鉄類（例えば、ボルト、ナット、鉄パイプ等）が含まれていると、破砕機を損傷する危険性がある。また、破砕機の修理のために稼働率が低下してしまう。そこで、破砕機で破砕する前に、予め磁力選別機によって廃棄物中から破砕が困難な重量のある鉄類を除去することが考えられるが、破砕が容易な軽量の磁性物（例えば、厚さの薄い缶類、衣類に装着した鉄類等）も不必要に感知してしまうとともに、それらに巻き込まれて多量の可燃性有用物を無駄に除去してしまうという問題がある。これに対して、磁力選別機の感度（磁力）を落とすと、破砕が困難な重量のある鉄類を除去しきれず、破砕機の損傷を防止することができなくなる。
【０００４】
本発明は、上記のような事情に鑑みてなされたものであり、廃棄物を破砕機によって所定の大きさに破砕するに際して、破砕機の損傷を防止するとともに稼働率の低下を回避しながら、有用物を無駄に除去することなく、適切に廃棄物を破砕することができる廃棄物の破砕方法及び設備を提供することを目的とするものである。
【課題を解決するための手段】
【０００５】
前記の課題を解決するために、本発明は以下の特徴を有する。
【０００６】
［１］廃棄物から軽量磁性物を分離する弱磁力選別工程と、
前記弱磁力選別工程で軽量磁性物が分離された廃棄物から重量磁性物を分離する強磁力選別工程と、
前記弱磁力選別工程で分離された軽量磁性物と前記強磁力選別工程で重量磁性物が除去された廃棄物とを破砕する破砕工程と
を有することを特徴とする廃棄物の破砕方法。
【０００７】
［２］廃棄物から磁性物を分離する強磁力選別工程と、
前記強磁力選別工程で分離された磁性物から軽量磁性物を分離する弱磁力選別工程と、
前記強磁力選別工程で磁性物が分離された廃棄物と前記弱磁力選別工程で分離された軽量磁性物とを破砕する破砕工程と
を有することを特徴とする廃棄物の破砕方法。
【０００８】
［３］廃棄物から軽量磁性物を分離する弱磁力選別手段と、
前記弱磁力選別手段によって軽量磁性物が分離された廃棄物から重量磁性物を分離する強磁力選別手段と、
前記弱磁力選別手段によって分離された軽量磁性物と前記強磁力選別手段によって重量磁性物が分離された廃棄物とを破砕する破砕手段と
を有することを特徴とする廃棄物の破砕設備。
【０００９】
［４］廃棄物から磁性物を分離する強磁力選別手段と、
前記強磁力選別手段によって分離された磁性物から軽量磁性物を分離する弱磁力選別手段と、
前記強磁力選別手段によって磁性物が分離された廃棄物と前記弱磁力選別手段によって分離された軽量磁性物とを破砕する破砕手段と
を有することを特徴とする廃棄物の破砕設備。
【００１０】
なお、前記の課題は、以下の手段によっても解決される。
【００１１】
［５］廃棄物から磁性物を分離する磁力選別工程と、
前記磁力選別工程で磁性物が分離された廃棄物を破砕する破砕工程と、
前記磁力選別工程で分離された磁性物と前記破砕工程で破砕された廃棄物とを混合した後の廃棄物から磁性物を選別する選別工程と
を有することを特徴とする廃棄物の破砕方法。
【００１２】
［６］廃棄物から磁性物を分離する磁力選別手段と、
前記磁力選別手段によって磁性物が分離された廃棄物を破砕する破砕手段と、
前記磁力選別手段によって分離された磁性物と前記破砕手段によって破砕された廃棄物とを混合した後の廃棄物から磁性物を選別する選別手段と
を有することを特徴とする廃棄物の破砕設備。
【発明の効果】
【００１３】
本発明においては、廃棄物から破砕が困難な磁性物を予め分離しておき、破砕が困難な磁性物が含まれていない廃棄物を破砕機で破砕するようにしているので、破砕機の損傷を防止しながら適切に廃棄物を破砕することができる。
【発明を実施するための最良の形態】
【００１４】
本発明の実施形態として、一般家庭から出る、紙、プラスチック、布、木屑、厨芥、金属等を含む廃棄物（一般廃棄物）からごみ固形燃料（ＲＤＦ）を製造する際に、本発明を適用した場合を例にして説明する。
【００１５】
（第１の実施形態）
本発明の第１の実施形態を、図１、図２を参照しながら述べる。
【００１６】
図１は、この実施形態における破砕処理フロー図であり、図２は、この実施形態において用いる破砕設備の配置図で、図２（ａ）は側面図、図２（ｂ）は図２（ａ）のＡ−Ａ矢視図である。
【００１７】
図２に示すように、この実施形態において用いる破砕設備は、ごみ袋に収納された一般廃棄物を受け入れるための受入ホッパー１と、一般廃棄物を収納したごみ袋を破袋するとともにごみ袋から取り出された廃棄物を粗破砕するための破袋機２（刃幅は５０ｍｍ程度）と、粗破砕された廃棄物から所定の磁性物を選別分離するための弱磁力選別機３と、一次磁力選別機３を通過した廃棄物から磁性物を選別分離するための強磁力選別機４と、廃棄物を所定寸法に細かく破砕するための破砕機５（刃幅は２５ｍｍ程度）とを備えている。
【００１８】
さらに、破袋機２によってごみ袋から取り出されて粗破砕された一般廃棄物を弱磁力選別機３及び強磁力選別機４に供給するための供給コンベア１１と、弱磁力選別機３によって選別分離された磁性物を強磁力選別機４をバイパスして破砕機５に供給するためのバイパス供給シュート１２と、強磁力選別機４によって磁性物が選別分離された廃棄物を破砕機５に供給するための供給シュート１３と、強磁力選別機４によって選別分離された磁性物を排出するための排出シュート１５と、破砕機５によって破砕された廃棄物を乾燥機（図示せず）に搬送するための破砕物搬送コンベア１４とを備えている。
【００１９】
そして、弱磁力選別機３は、厚さの薄い缶類や衣類に装着した鉄類といった破砕機５での破砕が容易な軽量の磁性物（破砕容易軽量磁性物）を選別分離し、ボルト、ナットや鉄パイプといった破砕機５での破砕が困難な重量のある磁性物（破砕困難重量磁性物）はそのまま通過させるように、磁力を落とし、感度を鈍く設定されている。
【００２０】
また、強磁力選別機４は、弱磁力選別機３を通過した破砕困難磁性物を選別分離できるように、弱磁力選別機３に比べて磁力を上げ、感度を高く設定されている。
【００２１】
上記のように構成された破砕設備を用いて一般廃棄物を破砕する処理手順を、図１に基づいて説明する。
【００２２】
まず、ステップＳ１（受入工程）において、ごみ袋に収納された一般廃棄物を受入ホッパー１に受け入れる。
【００２３】
次に、ステップＳ２（破袋工程）において、破袋機２によって、一般廃棄物を収納したごみ袋を破袋するとともに、ごみ袋から取り出された一般廃棄物を所定寸法（例えば、１００ｍｍ程度）に粗破砕する。そして、粗破砕された廃棄物は供給コンベア１１によって一次磁力選別機３に供給される。
【００２４】
次に、ステップＳ３（弱磁力選別工程）において、弱磁力選別機３によって、粗破砕された廃棄物から破砕容易軽量磁性物を選別分離する。選別分離された破砕容易軽量磁性物はバイパス供給シュート１２を経由して破砕機５に供給される。その際、弱磁力選別機３の磁力は低く設定されているので、破砕容易軽量磁性物に巻き込まれて非磁性の廃棄物が分離される割合は少なくなっているが、破砕容易軽量磁性物に巻き込まれて非磁性の廃棄物が分離された場合は、その廃棄物もバイパス供給シュート１２を経由して破砕機５に供給される。一方、破砕容易軽量磁性物が選別分離された後の廃棄物は強磁力選別機４に供給される。
【００２５】
次に、ステップＳ４（強磁力選別工程）において、強磁力選別機４によって、破砕容易軽量磁性物が選別分離された後の廃棄物から破砕困難重量磁性物を選別分離する。選別分離された破砕困難重量磁性物は排出シュート１５を経由して排出される。一方、破砕困難重量磁性物が選別分離された後の廃棄物は破砕機５に供給される。
【００２６】
次に、ステップＳ５（破砕工程）において、ステップＳ４で破砕困難重量磁性物が選別分離された後の廃棄物にステップＳ３で選別分離された破砕容易軽量磁性物を含めて破砕機５によって所定の寸法に細かく破砕する。そして、細かく破砕された廃棄物は破砕物搬送コンベア１４によって乾燥機に搬送される。
【００２７】
次に、ステップＳ６（乾燥工程）において、細かく破砕された廃棄物は、乾燥機によって所定の水分率に水分調整される。
【００２８】
その後、図示していないが、固形燃料に適さない不適物を選別分離する選別工程、石灰を混合する混合工程等を経て、最後に、所定寸法に成形する成形工程において固形化されて固形燃料となる。
【００２９】
上記のように、この実施形態においては、感度を鈍く設定した弱磁力選別機３によって、厚さの薄い缶類や衣類に装着した鉄類といった破砕機５での破砕が容易な磁性物（破砕容易軽量磁性物）を選別分離し、その破砕容易軽量磁性物を破砕機５に供給するとともに、強磁力選別機４によって、弱磁力選別機３を通過した廃棄物からボルト、ナットや鉄パイプといった破砕機５での破砕が困難な重量のある磁性物（破砕困難重量磁性物）を除去して、破砕機５に供給するようにしているので、破砕困難重量磁性物による破砕機５の損傷を防止するとともに稼働率の低下を回避しながら、有用物を無駄に除去することなく、適切に廃棄物を破砕することができる。
【００３０】
（第２の実施形態）
本発明の第２の実施形態を、図３、図４を参照しながら述べる。
【００３１】
図３は、この実施形態における破砕処理フロー図であり、図４は、この実施形態において用いる破砕設備の配置図で、図４（ａ）は側面図、図４（ｂ）は図４（ａ）のＢ−Ｂ矢視図である。
【００３２】
図４に示すように、この実施形態において用いる破砕設備は、ごみ袋に収納された一般廃棄物を受け入れるための受入ホッパー１と、一般廃棄物を収納したごみ袋を破袋するとともにごみ袋から取り出された廃棄物を粗破砕するための破袋機２（刃幅は５０ｍｍ程度）と、粗破砕された廃棄物から磁性物を選別分離するための強磁力選別機４と、強磁力選別機４によって選別分離した磁性物から所定の磁性物を選別分離するための弱磁力選別機３と、廃棄物を所定寸法に細かく破砕するための破砕機５（刃幅は２５ｍｍ程度）とを備えている。
【００３３】
さらに、破袋機２によってごみ袋から取り出されて粗破砕された一般廃棄物を強磁力選別機４に供給するための供給コンベア１１と、強磁力選別機４によって磁性物が選別分離された廃棄物を破砕機５に供給するための供給シュート１６と、強磁力選別機４によって選別分離された磁性物を弱磁力選別機３に供給するための供給シュート１７と、弱磁力選別機３によって選別分離された所定の磁性物を破砕機５に供給するための供給シュート１８と、弱磁力選別機３によって所定の磁性物が選別分離された後の磁性物を排出除去するための排出シュート１９と、破砕機５によって破砕された廃棄物を乾燥機（図示せず）に搬送するための破砕物搬送コンベア１４とを備えている。
【００３４】
そして、強磁力選別機４は、破砕機５での破砕が容易な軽量の磁性物（破砕容易軽量磁性物）も破砕機５での破砕が困難な重量のある磁性物（破砕困難重量磁性物）も一緒に分離されるように感度が設定されている。
【００３５】
また、弱磁力選別機３は、厚さの薄い缶類や衣類に装着した鉄類といった破砕機５での破砕が容易な軽量の磁性物（破砕容易軽量磁性物）を選別分離し、ボルト、ナットや鉄パイプといった破砕機５での破砕が困難な重量のある磁性物（破砕困難重量磁性物）はそのまま通過させるように、強磁力選別機４に比べて磁力を落とし、感度を鈍く設定されている。
【００３６】
上記のように構成された破砕設備を用いて一般廃棄物を破砕する処理手順を、図３に基づいて説明する。
【００３７】
まず、ステップＳ１１（受入工程）において、ごみ袋に収納された一般廃棄物を受入ホッパー１に受け入れる。
【００３８】
次に、ステップＳ１２（破袋工程）において、破袋機２によって、一般廃棄物を収納したごみ袋を破袋するとともに、ごみ袋から取り出された一般廃棄物を所定寸法（例えば、１００ｍｍ程度）に粗破砕する。そして、粗破砕された廃棄物は供給コンベア１１によって強磁力選別機４に供給される。
【００３９】
次に、ステップＳ１３（強磁力選別工程）において、強磁力選別機４によって、粗破砕された廃棄物から磁性物を選別分離する。選別分離された磁性物は供給シュート１７を経由して弱磁力選別機３に供給される。一方、磁性物が選別分離された後の廃棄物は破砕機５に供給される。
【００４０】
次に、ステップＳ１４（弱磁力選別工程）において、弱磁力選別機３によって、磁性物から破砕容易軽量磁性物を選別分離する。選別分離された破砕容易軽量磁性物は破砕機５に供給される。一方、破砕容易軽量磁性物が選別分離された後の磁性物（破砕困難重量磁性物）は排出シュート１９を経由して排出される。
【００４１】
次に、ステップＳ１５（破砕工程）において、ステップＳ１３で磁性物が選別分離された後の廃棄物にステップＳ１４で選別分離された破砕容易軽量磁性物を含めて破砕機５によって所定の寸法に細かく破砕する。そして、細かく破砕された廃棄物は破砕物搬送コンベア１４によって乾燥機に搬送される。
【００４２】
次に、ステップＳ１６（乾燥工程）において、細かく破砕された廃棄物は、乾燥機によって所定の水分率に水分調整される。
【００４３】
その後、図示していないが、固形燃料に適さない不適物を選別分離する選別工程、石灰を混合する混合工程等を経て、最後に、所定寸法に成形する成形工程において固形化されて固形燃料となる。
【００４４】
上記のように、この実施形態においては、感度を高く設定した強磁力選別機４によって選別分離された磁性物から、感度を鈍く設定した弱磁力選別機３によって、厚さの薄い缶類や衣類に装着した鉄類といった破砕機５での破砕が容易な磁性物（破砕容易軽量磁性物）を選別分離し、その破砕容易軽量磁性物を破砕機５に供給するとともに、弱磁力選別機３を通過した磁性物、すなわち、ボルト、ナットや鉄パイプといった破砕機５での破砕が困難な重量のある磁性物（破砕困難重量磁性物）を排出除去して、破砕機５に供給されないようにしているので、破砕困難重量磁性物による破砕機５の損傷を防止するとともに稼働率の低下を回避しながら、有用物を無駄に除去することなく、適切に廃棄物を破砕することができる。
【００４５】
なお、この実施形態において、弱磁力選別機３によって、磁性物を破砕容易軽量磁性物と破砕困難重量磁性物に選別分離しているが、それに代えて、重さによって選別分離する揺動式選別機によって、破砕容易軽量磁性物と破砕困難重量磁性物に選別分離してもよい。
【００４６】
（他の実施形態）
前述の課題を解決するためには、以下のような実施形態をとることもできる。その実施形態を、図５、図６を参照しながら述べる。
【００４７】
図５は、この実施形態における破砕処理フロー図であり、図６は、この実施形態において用いる破砕設備の配置図で、図６（ａ）は側面図、図６（ｂ）は図６（ａ）のＣ−Ｃ矢視図である。
【００４８】
図６に示すように、この実施形態において用いる破砕設備は、ごみ袋に収納された一般廃棄物を受け入れるための受入ホッパー１と、一般廃棄物を収納したごみ袋を破袋するとともにごみ袋から取り出された廃棄物を粗破砕するための破袋機２（刃幅は５０ｍｍ程度）と、粗破砕された廃棄物から磁性物を選別分離するための磁力選別機４ａと、廃棄物を所定寸法に細かく破砕するための破砕機５（刃幅は２５ｍｍ程度）とを備えている。
【００４９】
さらに、破袋機２によってごみ袋から取り出されて粗破砕された一般廃棄物を磁力選別機４ａに供給するための供給コンベア１１と、磁力選別機４ａによって磁性物が選別分離された後の廃棄物を破砕機５に供給するための供給シュート２０と、破砕機５によって破砕された廃棄物を乾燥機に搬送するための破砕物搬送コンベア１４と、磁力選別機４ａによって選別分離された磁性物を破砕機５をバイパスして破砕物搬送コンベア１４に供給するためのバイパス供給シュート２１とを備えている。
【００５０】
そして、磁力選別機４ａは、破砕機５での破砕が容易な軽量の磁性物（破砕容易軽量磁性物）も破砕機５での破砕が困難な重量のある磁性物（破砕困難重量磁性物）も一緒に分離されるように感度が設定されている。
【００５１】
上記のように構成された破砕設備を用いて一般廃棄物を破砕する処理手順を、図５に基づいて説明する。
【００５２】
まず、ステップＳ２１（受入工程）において、ごみ袋に収納された一般廃棄物を受入ホッパー１に受け入れる。
【００５３】
次に、ステップＳ２２（破袋工程）において、破袋機２によって、一般廃棄物を収納したごみ袋を破袋するとともに、ごみ袋から取り出された一般廃棄物を所定寸法（例えば、１００ｍｍ程度）に粗破砕する。そして、粗破砕された廃棄物は供給コンベア１１によって磁力選別機４ａに供給される。
【００５４】
次に、ステップＳ２３（磁力選別工程）において、磁力選別機４ａによって、粗破砕された廃棄物から磁性物を選別分離する。選別分離された磁性物は、バイパス供給シュート２１によって破砕機５をバイパスして破砕物搬送コンベア１４に送られ、その後、乾燥機に供給される。その際、磁性物に巻き込まれて非磁性の廃棄物も分離される可能性があるが、そのように磁性物に巻き込まれて分離された非磁性の廃棄物もバイパス供給シュート２１によって破砕物搬送コンベア１４に送られ、その後、乾燥機に供給される。一方、磁性物が選別分離された後の廃棄物は破砕機５に供給される。
【００５５】
次に、ステップＳ２４（破砕工程）において、ステップＳ２３で磁性物が選別分離された後の廃棄物を破砕機５によって所定の寸法に細かく破砕する。そして、細かく破砕された廃棄物は、破砕物搬送コンベア１４によって搬送されて、乾燥機に供給される。
【００５６】
次に、ステップＳ２５（乾燥工程）において、ステップＳ２４で細かく破砕された廃棄物と、破砕機５を迂回して乾燥機に供給された磁性物及び巻き込まれて分離された廃棄物は、乾燥機によって所定の水分率に水分調整される。
【００５７】
次に、ステップＳ２６（選別工程）において、乾燥機によって水分調整された廃棄物は、揺動選別機や風力選別機等によって、固形燃料に適さない不適物が選別除去される。その際に、固形燃料に不適な磁性物も不適物として除去される。
【００５８】
その後、図示していないが、石灰を混合する混合工程等を経て、最後に、所定寸法に成形する成形工程において固形化されて固形燃料となる。
【００５９】
上記のように、この実施形態においては、磁力選別機４ａによって廃棄物から磁性物を選別分離し、選別分離した磁性物を破砕機５をパイパスして乾燥機に供給し、その後の選別工程で磁性物を分離するようにしているので、破砕が困難な重量のある磁性物によって破砕機５が損傷することを防止するとともに稼働率の低下を回避しながら、有用物を無駄に除去することなく、適切に廃棄物を破砕することができる。
【図面の簡単な説明】
【００６０】
【図１】本発明の第１の実施形態における破砕処理のフロー図である。
【図２】本発明の第１の実施形態における破砕設備の配置図である。
【図３】本発明の第２の実施形態における破砕処理のフロー図である。
【図４】本発明の第２の実施形態における破砕設備の配置図である。
【図５】他の実施形態における破砕処理のフロー図である。
【図６】他の実施形態における破砕設備の配置図である。
【符号の説明】
【００６１】
１  受入ホッパー
２  破袋機
３  弱磁力選別機
４  強磁力選別機
４ａ  磁力選別機
５  破砕機
１１  供給コンベア
１２  バイパス供給シュート
１３  供給シュート
１４  破砕物搬送コンベア
１５  排出シュート
１６  供給シュート
１７  供給シュート
１８  供給シュート
１９  排出シュート
２０  供給シュート
２１  バイパス供給シュート
【図１】
2006075793.tif 000003
【図３】
2006075793.tif 000004
【図５】
2006075793.tif 000005
【図２】
2006075793.tif 000006
【図４】
2006075793.tif 000007
【図６】
2006075793.tif 000008